(57)【特許請求の範囲】
【請求項１】
プラグ取付け用ハウジングに、ＡＣプラグの回転軸部が回動する軸受け部を設け、かつ、前記ＡＣプラグの２個のブレード部が出没する２個のブレード突出溝部を形成したＡＣアダプタ用プラグの取り付け装置において、
前記ＡＣプラグの基端部を連結軸部で連結し、この連結軸部は、略直角の２面を平坦面部とし、これらの平坦面部間を円弧面部とし、前記２個のブレード突出溝部の間の取付け面部に位置してプラグ保持板を設け、このプラグ保持板の先端部に、前記連結軸部に接して前記ＡＣプラグの回動時のクリック感を得るための板ばね部を形成し、前記プラグ取付け用ハウジングにおける底板部の上面に、前記２個のブレード突出溝部の一部を被覆する下向きコ字形のブレード保持カバー部を形成し、これらのブレード保持カバー部の間を、前記プラグ保持板を取り付けるための取付け面部とし、前記プラグ保持板の下面に組込み筒部を設け、かつ、両側に両翼部を設け、前記組込み筒部に、前記プラグ取付け用ハウジングの取付け面部に設けたねじ取付け部に嵌合してねじ止めし、前記両翼部を前記ブレード保持カバー部の先端部で軸受け板部に被せてなることを特徴とするＡＣアダプタ用プラグの取り付け装置。
【請求項２】
ブレード保持カバー部の先端部に一体に軸受け板部を形成し、この軸受け板部に、ＡＣプラグの外側面に形成した回転軸部を軸架する軸受け部を設けたことを特徴とする請求項１記載のＡＣアダプタ用プラグの取り付け装置。
【請求項３】
回転軸部の中央からブレード部と一体に屈曲形成した接触端子部を突出させ、この接触端子部に、プラグ取付け用ハウジングに設けた圧接端子板に接触してなることを特徴とする請求項２記載のＡＣアダプタ用プラグの取り付け装置。
【請求項４】
回転軸部の端面に、ブレード部に向けてテーパー部を形成し、軸受け板部における軸受け部に臨ませて前記テーパー部と接しつつ回転軸部を軸受け部に圧入させるテーパー部を形成したことを特徴とする請求項２記載のＡＣアダプタ用プラグの取り付け装置。
【発明の詳細な説明】
【技術分野】
【０００１】
本発明は、ＡＣアダプタにおけるプラグの取り付け装置を可能な限り薄型で、かつ小型化したＡＣアダプタ用プラグの取り付け装置に関するものである。
【背景技術】
【０００２】
従来からＡＣアダプタにおけるプラグの取り付け装置には、特許文献１に示すようなものが知られていた。
この特許文献１に示すものは、直方体のアダプタ本体の角隅の略４分の１を切り欠き、この部分に折り畳み形のＡＣプラグからなるアタッチメントを着脱自在に連結するようにしたもので、前記ＡＣプラグは、上ケースと、下ケースと、この中に収納されるＡＣブレードと、ＡＣブレードと接離するとともに、アダプタ本体と接離する端子と、ＡＣブレードの出没の位置保持する係止部材とからなる。
前記端子は、ＡＣブレードをケースから引き起こすと、ＡＣブレードの端部が電気的に接続し、また、ＡＣブレードをケースの中に引き倒すと、ＡＣブレードの端部が離れ、さらに、ＡＣプラグからなるアタッチメントをアダプタ本体に差し込むと、端子の一部がアタッチメントの中に挿入されて電気的に接続する構造となっている。
ＡＣブレードをケースから引き起こしたときの位置保持と、ＡＣブレードをケースの中に引き倒したときの位置保持のために、ＡＣプラグの回転軸に所定間隔で複数の突起を形成し、これらの突起がケース内に設けた係止部材の挟持部の凹部に嵌め込まれるように構成されている。
【先行技術文献】
【特許文献】
【０００３】
【特許文献１】特開２０１３−２２２６４７号公報
【発明の概要】
【発明が解決しようとする課題】
【０００４】
特許文献１に記載されたＡＣアダプタでは、次のような問題点があった。
・上ケースを有すること、ＡＣプラグの折り畳みの前後で接離する複雑な構造の端子が下ケースとの間に設けられていること、ＡＣアダプタの側方に回動支持部とこの回動支持部に係脱する係止部材が突出して設けられていることなどにより、ＡＣプラグを折り畳んだときのＡＣプラグからなるアタッチメントの形状が大型化すること。
・上ケース、下ケース、端子、係止部材の形状が複雑で、加工、組み立てが面倒であること。
・ケース内の部品点数が多いので、長年の使用により壊れやすいこと。
【０００５】
本発明は、ＡＣプラグからなるアタッチメントの形状の小型化、内部部品の形状の単純化、組み立ての容易性、長年使用しても壊れにくいことなどを目的としたＡＣアダプタ用プラグの取り付け装置を提供しようとするものである。
【課題を解決するための手段】
【０００６】
ＡＣプラグ２４は、２個のブレード部の間隔が規格で決まった寸法を有する。本発明は、この２個のブレード部の隙間を利用してＡＣプラグの引き起こしと折りたたみの動作を繰り返しても長期間の使用に耐えることができ、かつ、程よいクリック感が得られ、さらに、プラグの取り付け装置としての形状もより小型化することが可能となるという上記目的を達成するようにしたものである。
【０００７】
これらの目的を達成するため、本発明では、プラグ取付け用ハウジング１５に、ＡＣプラグ２４の回転軸部２６が回動する軸受け部２１を設け、かつ、前記ＡＣプラグ２４の２個のブレード部３１が出没する２個のブレード突出溝部１９を形成したＡＣアダプタ用プラグの取り付け装置において、
前記ＡＣプラグ２４の基端部を連結軸部２８で連結し、この連結軸部２８は、略直角の２面を平坦面部２９とし、これらの平坦面部２９間を円弧面部３０とし、前記２個のブレード突出溝部１９の間の取付け面部４１に位置してプラグ保持板３３を設け、このプラグ保持板３３の先端部に、前記連結軸部２８に接して前記ＡＣプラグ２４の回動時のクリック感を得るための板ばね部３４を形成したことを特徴とする。
【０００８】
前記プラグ取付け用ハウジング１５における底板部１６の上面に、２個のブレード突出溝部１９の一部を被覆する下向きコ字形のブレード保持カバー部１８を形成し、これらのブレード保持カバー部１８の間を、プラグ保持板３３を取り付けるための取付け面部４１としたことを特徴とする。
【０００９】
前記ブレード保持カバー部１８の先端部に一体に軸受け板部２０を形成し、この軸受け板部２０に、ＡＣプラグ２４の外側面に形成した回転軸部２６を軸架する軸受け部２１を設けたことを特徴とする。
【００１０】
前記回転軸部２６の中央からブレード部３１と一体に屈曲形成した接触端子部３２を突出させ、この接触端子部３２に、プラグ取付け用ハウジング１５に設けた圧接端子板３９に接触してなることを特徴とする。
【００１１】
前記回転軸部２６の端面に、ブレード部３１に向けてテーパー部２７を形成し、軸受け板部２０における軸受け部２１に臨ませて前記テーパー部２７と接しつつ回転軸部２６を軸受け部２１に圧入させるテーパー部２２を形成したことを特徴とする。
【００１２】
前記プラグ保持板３３の下面に組込み筒部３５を設け、かつ、両側に両翼部３８を設け、前記組込み筒部３５に、プラグ取付け用ハウジング１５の取付け面部４１に設けたねじ取付け部２３に嵌合してねじ止めし、前記両翼部３８をブレード保持カバー部１８の先端部で軸受け板部２０に被せてなることを特徴とする。
【発明の効果】
【００１３】
請求項１記載の発明によれば、プラグ取付け用ハウジングに、ＡＣプラグの回転軸部が回動する軸受け部を設け、かつ、前記ＡＣプラグの２個のブレード部が出没する２個のブレード突出溝部を形成したＡＣアダプタ用プラグの取り付け装置において、
前記ＡＣプラグの基端部を連結軸部で連結し、この連結軸部は、略直角の２面を平坦面部とし、これらの平坦面部間を円弧面部とし、前記２個のブレード突出溝部の間の取付け面部に位置してプラグ保持板を設け、このプラグ保持板の先端部に、前記連結軸部に接して前記ＡＣプラグの回動時のクリック感を得るための板ばね部を形成し、前記プラグ取付け用ハウジングにおける底板部の上面に、前記２個のブレード突出溝部の一部を被覆する下向きコ字形のブレード保持カバー部を形成し、これらのブレード保持カバー部の間を、前記プラグ保持板を取り付けるための取付け面部とし、前記プラグ保持板の下面に組込み筒部を設け、かつ、両側に両翼部を設け、前記組込み筒部に、前記プラグ取付け用ハウジングの取付け面部に設けたねじ取付け部に嵌合してねじ止めし、前記両翼部を前記ブレード保持カバー部の先端部で軸受け板部に被せてなるので、ＡＣプラグにおける２個のブレード部が規格で決まった幅を有するので、この２個のブレード部が出没する前記ブレード突出溝部の隙間を利用して、前記ＡＣプラグの引き起こしと折りたたみの動作を繰り返しても長期間の使用に耐えることができ、かつ、ＡＣプラグの引き起こし状態と折りたたみ状態を確実に固定しながら程よいクリック感が得られ、さらに、プラグの取り付け装置としての形状もより小型化することができる。また、取付け面部の間に部品を収納して全体としての形状を小型化できる。さらに、ＡＣプラグをプラグ保持板でプラグ取付け用ハウジングの取付け面部に無駄な隙間なく取付けできる。
【００１５】
請求項２記載の発明によれば、ブレード保持カバー部の先端部に一体に軸受け板部を形成し、この軸受け板部に、ＡＣプラグの外側面に形成した回転軸部を軸架する軸受け部を設けたので、ＡＣプラグの幅方向の寸法を最小限に抑えることができる。
【００１６】
請求項３記載の発明によれば、回転軸部の中央からブレード部と一体に屈曲形成した接触端子部を突出させ、この接触端子部に、プラグ取付け用ハウジングに設けた圧接端子板に接触したので、接触端子部に、圧接端子板を常時確実に接触させることができる。
【００１７】
請求項４記載の発明によれば、回転軸部の端面に、ブレード部に向けてテーパー部を形成し、軸受け板部における軸受け部に臨ませて前記テーパー部と接しつつ回転軸部を軸受け部に圧入させるテーパー部を形成したので、ＡＣプラグを圧入するだけで簡単に組み込むことができる。
【図面の簡単な説明】
【００１９】
【図１】本発明によるＡＣアダプタ用プラグの取り付け装置の一実施例を示す平面図である。
【図２】図１におけるＡ−Ａ線断面図である。
【図３】図１におけるＢ−Ｂ線断面図である。
【図４】（ａ）は、本発明によるＡＣアダプタ用プラグの取り付け装置に組み込まれるＡＣプラグ２４の一部切り欠いた正面図、（ｂ）は、（ａ）の側面図である。
【図５】（ａ）は、本発明によるＡＣアダプタ用プラグの取り付け装置に組み込まれるプラグ保持板３３の斜視図、（ｂ）は、（ａ）の縦断面図である。
【図６】（ａ）は、本発明によるＡＣアダプタ用プラグの取り付け装置に組み込まれるプラグ取付け用ハウジング１５の平面図、（ｂ）は、（ａ）のＣ−Ｃ線断面図である。
【図７】本発明によるＡＣアダプタ用プラグの取り付け装置に組み込まれるプラグ取付け用ハウジング１５の斜視図である。
【図８】ＡＣアダプタ１０にプラグの取り付け装置１１を組み込んだときの一部切り欠いた正面図である。
【発明を実施するための形態】
【００２０】
本発明は、プラグ取付け用ハウジング１５に、ＡＣプラグ２４の回転軸部２６が回動する軸受け部２１を設け、かつ、前記ＡＣプラグ２４の２個のブレード部３１が出没する２個のブレード突出溝部１９を形成したＡＣアダプタ用プラグの取り付け装置において、前記ＡＣプラグ２４の基端部を連結軸部２８で連結し、この連結軸部２８は、略直角の２面を平坦面部２９とし、これらの平坦面部２９間を円弧面部３０とし、前記２個のブレード突出溝部１９の間の取付け面部４１に位置してプラグ保持板３３を設け、このプラグ保持板３３の先端部に、前記連結軸部２８に接して前記ＡＣプラグ２４の回動時のクリック感を得るための板ばね部３４を形成する。
【００２１】
プラグ取付け用ハウジング１５における底板部１６の上面に、２個のブレード突出溝部１９の一部を被覆する下向きコ字形のブレード保持カバー部１８を形成し、これらのブレード保持カバー部１８の間を、プラグ保持板３３を取り付けるための取付け面部４１とする。
【００２２】
ブレード保持カバー部１８の先端部に一体に軸受け板部２０を形成し、この軸受け板部２０に、ＡＣプラグ２４の外側面に形成した回転軸部２６を軸架する軸受け部２１を設ける。
【００２３】
回転軸部２６の中央からブレード部３１と一体に屈曲形成した接触端子部３２を突出させ、この接触端子部３２に、プラグ取付け用ハウジング１５に設けた圧接端子板３９に接触して形成する。
【００２４】
回転軸部２６の端面に、ブレード部３１に向けてテーパー部２７を形成し、軸受け板部２０における軸受け部２１に臨ませて前記テーパー部２７と接しつつ回転軸部２６を軸受け部２１に圧入させるテーパー部２２を形成する。
【００２５】
プラグ保持板３３の下面に組込み筒部３５を設け、かつ、両側に両翼部３８を設け、前記組込み筒部３５に、プラグ取付け用ハウジング１５の取付け面部４１に設けたねじ取付け部２３に嵌合してねじ止めし、前記両翼部３８をブレード保持カバー部１８の先端部で軸受け板部２０に被せる。
【実施例１】
【００２６】
本発明によるＡＣアダプタ用プラグの取り付け装置の実施例１を図面に基づき説明する。
図８において、１０は、ＡＣアダプタで、このＡＣアダプタ１０の下部に、高さを低くし、幅方向にも可能な限り膨出しないように小型化した本発明によるプラグの取り付け装置１１が取り付けられ、このプラグの取り付け装置１１には回路基板１４を介して交直変換部１２に接続され、ＵＳＢ差込口などのＤＣ出力部１３から直流電力が出力されるものである。
前記プラグの取り付け装置１１は、図１および図２に示すように、プラグ取付け用ハウジング１５と、このプラグ取付け用ハウジング１５に折り畳み自在に取り付けられるＡＣプラグ２４と、このＡＣプラグ２４を前記プラグ取付け用ハウジング１５に保持するプラグ保持板３３とからなる。
【００２７】
前記プラグ取付け用ハウジング１５は、図６（ａ）（ｂ）および図７に示すように、１辺が略２５ｍｍ程度の４角形で、４隅が丸みを帯びた底板部１６が、７〜８ｍｍ程度の高さの周縁部１７で囲まれている。前記底板部１６には、前記ＡＣプラグ２４が折り畳み自在に出没する２個のブレード突出溝部１９が平行に形成されている。
前記ＡＣプラグ２４における２個のブレード部３１が規格で決まった幅を有するので、本発明は、この２個のブレード部３１が出没する前記ブレード突出溝部１９の隙間を利用して、前記ＡＣプラグ２４の引き起こしと折りたたみの動作を繰り返しても長期間の使用に耐えることができ、かつ、程よいクリック感が得られ、さらに、プラグの取り付け装置１１としての形状もより小型化するという目的を達成しようとするものである。
【００２８】
そのため、前記２個のブレード突出溝部１９の隙間を有効利用するために、それぞれのブレード突出溝部１９に下向きコ字形のブレード保持カバー部１８を形成し、さらにこれらのブレード保持カバー部１８の端部に延長して軸受け板部２０を一体に設け、後述するＡＣプラグ２４の連結軸部２８を配置しプラグ保持板３３を取り付けるための取付け面部４１として隙間を有効利用する。前記２個の軸受け板部２０には、軸受け部２１が設けられ、この軸受け部２１の上端部が軸受け部２１より狭く開口し、この開口部の両側にテーパー部２２が形成されている。また、前記２個のブレード保持カバー部１８の間の取付け面部４１には、ねじ取付け部２３が一体に設けられている。
【００２９】
前記ＡＣプラグ２４は、図４（ａ）（ｂ）に示すように、導電性金属からなる２本のブレード部３１が基端部で外側にＬ字状に折曲して接触端子部３２となっており、これらのブレード部３１と接触端子部３２の先端部が露出するように絶縁カバー部２５で被覆する。この絶縁カバー部２５の外側に円形の回転軸部２６を突出して形成し、前記接触端子部３２をこの回転軸部２６から露出させる。前記回転軸部２６の端面にブレード部３１の先端に向けてテーパー部２７を形成する。前記左右の絶縁カバー部２５の間に、回転軸部２６の軸線と一致するようにして連結軸部２８で連結する。この連結軸部２８は、４面の平坦面部２９が互いに９０度の角柱状とし、４箇所の角部を円弧面部３０とする。この円弧面部３０は、前記ＡＣプラグ２４の引き起こしと折りたたみの動作時に連結軸部２８が回動して、後述する板ばね部３４を図３のように押し上げて程よいクリック感が得られることが望ましく、本実施例では、板ばね部３４を円弧面部３０で約３ｍｍ押し上げるようにする。しかし、この寸法は、板ばね部３４の幅、平坦面部２９の幅などにもよって適宜設定される。
【００３０】
前記プラグ保持板３３は、図５（ａ）（ｂ）に示すように、前記２個のブレード保持カバー部１８の間の取付け面部４１に位置して先端部まで伸びた板ばね部３４を有する。この板ばね部３４は、前記平坦面部２９にできるだけ広い面積で接するように、取付け面部４１に収納される範囲内でできるだけ広い幅を有することが望ましい。この板ばね部３４の基端部の下側に前記プラグ取付け用ハウジング１５のねじ取付け部２３に嵌合する筒状の組込み筒部３５が設けられ、さらに、前記ブレード保持カバー部１８の先端部に位置した軸受け板部２０に跨るように両側に両翼部３８が設けられている。前記組込み筒部３５の上面には、ねじ３７が差し込まれるねじ孔３６が形成されている。前記板ばね部３４の上面の両側には、薄い板ばね部３４を補強する補強縁部４０が形成されている。
【００３１】
つぎに、プラグ取付け用ハウジング１５とＡＣプラグ２４とプラグ保持板３３の組み立てについて説明する。
ＡＣプラグ２４のブレード部３１を下向きにしてプラグ取付け用ハウジング１５のブレード突出溝部１９に上から差し込む。すると、ブレード部３１がプラグ取付け用ハウジング１５の底板部１６の下側から突出する。ＡＣプラグ２４の回転軸部２６におけるテーパー部２７がプラグ取付け用ハウジング１５の軸受け板部２０におけるテーパー部２２に接触する。ＡＣプラグ２４をさらに下向きに押し込むと、左右の軸受け板部２０が外側にやや押し出されて回転軸部２６が軸受け板部２０の内面を滑りながら下降し、回転軸部２６が軸受け部２１に嵌合すると、軸受け板部２０が元の位置に戻る。すると、接触端子部３２が軸受け部２１から外部に突出し、この接触端子部３２が図１および図２に示すように、軸受け部２１の外側位置に臨ませて設けられている圧接端子板３９に圧接して電気的に接続される。
【００３２】
ＡＣプラグ２４がプラグ取付け用ハウジング１５に回動自在に嵌合されたら、ＡＣプラグ２４のブレード部３１を図３の実線のようにプラグ取付け用ハウジング１５と水平になるようにブレード保持カバー部１８内のブレード突出溝部１９に遊嵌する。この状態で、プラグ保持板３３の組込み筒部３５をプラグ取付け用ハウジング１５のねじ取付け部２３に上から嵌合する。すると、両側の両翼部３８がブレード保持カバー部１８の先端位置の軸受け板部２０に被さり、かつ、板ばね部３４の下面が連結軸部２８の平坦面部２９に接する。この状態で、ねじ孔３６からねじ３７をねじ取付け部２３にねじ込み、プラグの取り付け装置１１の組み立てを完了する。
このプラグの取り付け装置１１を組み立てたら図８に示すように、交直変換部１２の下側に組み込んでＡＣアダプタ１０を完成する。
【００３３】
ＡＣアダプタ１０の使用に際して一部突出しているＡＣプラグ２４のブレード部３１を図３の鎖線のように下向きに引き起こそうとすると、連結軸部２８の円弧面部３０が板ばね部３４を押し上げながら回動し、連結軸部２８の次の平坦面部２９に達すると板ばね部３４の弾力により元に戻って次の平坦面部２９に板ばね部３４が密着してブレード部３１が９０度回転した位置で固定される。
ブレード部３１を折りたたむときも前記と逆の動作でブレード突出溝部１９内に収納された状態で固定される。
【００３４】
前記連結軸部２８の平坦面部２９と円弧面部３０の形状は、図３（ａ）に示すように、４面の平坦面部２９が９０度間隔の角柱状とし、４箇所の角部を円弧面部３０としたが、図３（ｂ）に示すように、平坦面部２９は、９０度の間隔の２面だけとし、この２個の平坦面部２９の間に円弧面部３０を形成すればよく、４角柱状でなくてもよい。ただし、連結軸部２８の回転時に、円弧面部３０の反対側の角部が底板部１６の上面に接することのないようにすることが必要である。
また、円弧面部３０は、回転時に板ばね部３４を持ち上げる高さを約０．３ｍｍとしたが、これに限られるものではなく、板ばね部３４が比較的容易に屈曲する場合には、高くし、板ばね部３４の幅が広かったり、厚さが厚かったりして屈曲しにくいときには、低くするなど、程よいクリック感が得られることが望ましい。
【００３５】
前記実施例では、プラグの取付け装置１１と交直変換部１２とを一体化したＡＣアダプタ１０を例示したが、この例に限られず、プラグの取付け装置１１を単独で使用する場合であってもよい。
【符号の説明】
【００３６】
１０…ＡＣアダプタ、１１…プラグの取り付け装置、１２…交直変換部、１３…ＤＣ出力部、１４…回路基板取付け面部、１５…プラグ取付け用ハウジング、１６…底板部、１７…周縁部、１８…ブレード保持カバー部、１９…ブレード突出溝部、２０…軸受け板部、２１…軸受け部、２２…テーパー部、２３…ねじ取付け部、２４…ＡＣプラグ、２５…絶縁カバー部、２６…回転軸部、２７…テーパー部、２８…連結軸部、２９…平坦面部、３０…円弧面部、３１…ブレード部、３２…接触端子部、３３…プラグ保持板、３４…板ばね部、３５…組込み筒部、３６…ねじ孔、３７…ねじ、３８…両翼部、３９…圧接端子板、４０…補強縁部、４１…取付け面部。
【図１】
0006560019.tif 000002
【図２】
0006560019.tif 000003
【図３】
0006560019.tif 000004
【図４】
0006560019.tif 000005
【図５】
0006560019.tif 000006
【図６】
0006560019.tif 000007
【図７】
0006560019.tif 000008
【図８】
0006560019.tif 000009